(57)【特許請求の範囲】
【請求項１】
テスト信号データセット（１１２、２２０）の中で周囲信号データを識別するための方法であって、
前記テスト信号データセット（１１２）の中のデータ要素の累積振幅分布を識別するステップであって、前記データ要素（１２０）が振幅値（１２４）の順に並んでおり、前記データ要素（１２０）が周波数値（１２２）および対応する振幅値（１２４）を含む、ステップと、
前記テスト信号データセットからデータ要素（１２０）のサブセットを識別するステップであって、前記データ要素（１２０）のサブセットが、第１の閾値より大きい振幅値（１２４）をもつ前記データ要素（１２０）を含む、ステップと、
前記データ要素のサブセットの中の前記データ要素を識別するステップであって、前記データ要素（１２０）の累積振幅分布の中の隣り合うデータ要素の前記振幅値（１２４）間の差異が第２の閾値より大きい、ステップと
を含む方法。
【請求項２】
前記第１の閾値が前記テスト信号データセット（１１２、２２０）の中の前記データ要素（１２０）の前記振幅値（１２４）の平均値であり、前記第２の閾値が前記データ要素（１２０）のサブセットの中の前記データ要素（１２０）の前記振幅値（１２４）の標準偏差である、請求項１に記載の方法。
【請求項３】
前記データ要素（１２０）のサブセットの中の前記データ要素（１２０）を識別するステップをさらに含み、前記データ要素（１２０）の累積振幅分布の中の前記隣り合うデータ要素の前記振幅値（１２４）間の前記差異が、前記テスト信号データセット（１１２、２２０）の中の前記データ要素（１２０）の前記振幅値（１２４）の前記標準偏差の倍数より大きい、請求項１または２に記載の方法。
【請求項４】
前記データ要素（１２０）のサブセットの中の前記データ要素（１２０）を識別することによって識別された前記データ要素（１２０）を前記テスト信号データセット（１１２、２２０）から削除するステップと、
前記データ要素（１２０）のサブセットの中の前記データ要素（１２０）を識別することによって識別された前記データ要素（１２０）を前記テスト信号データセット（１１２、２２０）から削除した後、前記テスト信号データセット（１１２、２２０）を使用して航空機用の干渉経路損失の測定を実施するステップと
をさらに含む、請求項１ないし３のいずれか一項に記載の方法。
【請求項５】
テスト信号を送信するステップと、
テスト信号に応答する信号を受信するステップとをさらに含み、前記テスト信号データセット（１１２、２２０）が、前記テスト信号に応答して受信された前記信号から導出され、前記テスト信号に応答して受信された前記信号が周囲放射（１１６）を含み、前記データ要素（１２０）のサブセットの中の前記データ要素（１２０）を識別することによって識別された前記データ要素（１２０）が前記周囲放射（１１６、２２４）に対応する、請求項１ないし４のいずれか一項に記載の方法。
【請求項６】
テスト信号データセット（１１２、２２０）の中で周囲信号データ（１１２、２２０）を識別するための方法であって、
前記テスト信号データセットの中のデータ要素（１２０）の累積振幅分布を識別するステップであって、前記データ要素（１２０）が振幅値（１２４）の順に並んでおり、前記データ要素が周波数値および対応する振幅値（１２４）を含む、ステップと、
前記テスト信号データセット（１１２、２２０）からデータ要素（１２０）のサブセットを識別するステップであって、前記データ要素（１２０）のサブセットが前記テスト信号データセット（１１２、２２０）の中の前記データ要素（１２０）の前記振幅値（１２４）の平均値より大きい前記振幅値（１２４）をもつ前記データ要素（１２０）を含む、ステップと、
前記データ要素（１２０）のサブセットの中の前記データ要素（１２０）を識別するステップであって、前記データ要素（１２０）の累積振幅分布の中の隣り合うデータ要素の前記振幅値（１２４）間の差異が前記データ要素（１２０）のサブセットの中の前記データ要素（１２０）の前記振幅値（１２４）の標準偏差より大きい、ステップと
を含む方法。
【請求項７】
前記データ要素（１２０）のサブセットの中の前記データ要素（１２０）を識別するステップをさらに含み、前記データ要素（１２０）の累積振幅分布の中の前記隣り合うデータ要素（１２０）の前記振幅値（１２４）間の前記差異が、前記テスト信号データセット（１１２、２２０）の中の前記データ要素の前記振幅値（１２４）の前記標準偏差の倍数より大きい、請求項６に記載の方法。
【請求項８】
前記データ要素（１２０）のサブセットの中の前記データ要素（１２０）を識別することによって識別された前記データ要素（１２０）を前記テスト信号データセット（１１２、２２０）から削除するステップと、
前記データ要素（１２０）のサブセットの中の前記データ要素（１２０）を識別することによって識別された前記データ要素（１２０）を前記テスト信号データセット（１１２、２２０）から削除した後、前記テスト信号データセット（１１２、２２０）を使用して航空機（１０８）用の干渉経路損失の測定を実施するステップと、
をさらに含む、請求項６または７に記載の方法。
【請求項９】
テスト信号を送信するステップと、
前記テスト信号に応答する信号を受信するステップであって、前記テスト信号データセット（１１２、２２０）が前記テスト信号に応答して受信された前記信号から導出される、ステップと
をさらに含む、請求項６に記載の方法。
【請求項１０】
前記テスト信号に応答して受信された前記信号が周囲放射（１１６、２２４）を含み、前記データ要素（１２０）のサブセットの中の前記データ要素（１２０）を識別することによって識別された前記データ要素（１２０）が前記周囲放射（１１６、２２４）に対応する、請求項９に記載の方法。
【発明の詳細な説明】
【技術分野】
【０００１】
本開示は、一般には、信号の処理および解析に関する。さらに、より詳細には、本開示は、必要なテスト信号データの中で周囲放射から生じる不要な信号を識別することに関する。
【背景技術】
【０００２】
航空機の無線受信器に対する干渉は、航空機のキャビン内で乗客および乗員が使用するために、より多くの携帯型電子装置を機内に持ち込むことが可能になるにつれて高まる懸念である。この懸念を減らすために、潜在的な干渉信号は、航空機のキャビン内部の電子装置から航空機の外部に設置された航空機の無線アンテナに伝わるときに減衰させることができる。この減衰レベルは干渉経路損失値と呼ぶことができる。
【０００３】
干渉経路損失の測定は、キャビン内の電子装置と航空機の無線受信器との間の信号の減衰が十分かどうか判定するために、航空機で実施することができる。かかる測定は、例えば、キャビン内からテスト信号を送信し、航空機の無線受信器によって受信された結果のテスト信号データを解析することによって実行することができる。
【０００４】
かかる干渉経路損失の測定の確度は、測定が実行される区域内の周囲の無線周波放射によって影響される可能性がある。例えば、かかる周囲放射には干渉経路損失の測定が実行される区域内の地上無線周波通信が含まれ得る。
【０００５】
周囲放射は、テスト信号が送信器から意図的に送信され、受信器によって受信された結果のテスト信号が解析される、いかなるテストまたは測定にも影響する可能性がある。かかる任意のテストにおいて、周囲放射からの信号は、意図的に送信されたテスト信号とともに受信器によって受信される可能性がある。この場合、周囲放射は、送信器によって生成されたテスト信号を隠す可能性がある。受信器によって受信されたテスト信号データは、受信された周囲放射から生じるデータを含む可能性があり、それによって望ましくない形でテスト信号データの解析に影響する。したがって、周囲放射の存在下でテストが実施された場合、受信されたテスト信号データセットの解析は信頼することができない。
【０００６】
テスト信号の送信および受信を要する干渉経路損失の測定および他のテストへの周囲放射の影響は、周囲放射が低下したレベルにあることが知られている区域内でテストまたは他の測定を遂行することによって、削減することができる。しかしながら、そのように制御された状態でかかる測定または他のテストを遂行することは、多くの場合、費用がかかるか、都合が悪いか、時間を浪費するか、または非現実的である。
【発明の概要】
【発明が解決しようとする課題】
【０００７】
したがって、上記で議論された問題のうちの１つまたは複数、ならびに場合により他の問題を考慮に入れる方法および装置を有することが望ましい。
【課題を解決するための手段】
【０００８】
本開示の例示的な実施形態は、テスト信号データセットの中で周囲信号データを識別するための方法を提供する。テスト信号データセットの中のデータ要素の累積振幅分布は、振幅値によって順番に識別される。データ要素は周波数値および対応する振幅値を含む。テスト信号データセットからデータ要素のサブセットが識別される。データ要素のサブセットは、第１の閾値より大きい振幅値をもつデータ要素を含む。次いで、データ要素の累積振幅分布の中の隣り合うデータ要素の振幅値間の差異が第２の閾値より大きい、データ要素のサブセットの中のデータ要素が識別される。
【０００９】
別の例示的な実施形態は、テスト信号データセットの中で周囲信号データを識別するための方法を提供する。テスト信号データセットの中のデータ要素の累積振幅分布は、振幅値によって順番に識別される。データ要素は周波数値および対応する振幅値を含む。テスト信号データセットからデータ要素のサブセットが識別される。データ要素のサブセットは、テスト信号データセットの中のデータ要素の振幅値の平均値より大きい振幅値をもつデータ要素を含む。データ要素の累積振幅分布の中の隣り合うデータ要素の振幅値間の差異がデータ要素のサブセットの中のデータ要素の振幅値の標準偏差より大きい、データ要素のサブセットの中のデータ要素が識別される。
【００１０】
別の例示的な実施形態は、周囲信号識別器を含む装置を提供する。周囲信号識別器は、テスト信号データセットの中のデータ要素の累積振幅分布を振幅値によって順番に識別するように構成される。データ要素は周波数値および対応する振幅値を含む。周囲信号識別器は、さらに、テスト信号データセットからデータ要素のサブセットを識別するように構成される。データ要素のサブセットは、第１の閾値より大きい振幅値をもつデータ要素を含む。周囲信号識別器は、さらに、データ要素の累積振幅分布の中の隣り合うデータ要素の振幅値間の差異が第２の閾値より大きい、データ要素のサブセットの中のデータ要素を識別するように構成される。
【００１１】
特徴、機能、および利点は、本開示のさまざまな実施形態において個別に実現することができるか、または、さらに他の実施形態において結合することができ、その中でさらなる詳細は以下の説明および図面を参照して理解することができる。
【００１２】
例示的な実施形態の特性として考えられる新規の特徴は、添付特許請求の範囲において説明する。しかしながら、例示的な実施形態、ならびに、好ましい使用方式、さらなる目的、およびそれらの利点は、添付図面とともに読むと、本開示の例示的な実施形態の以下の詳細説明を参照することによって最もよく理解されよう。
【図面の簡単な説明】
【００１３】
【図１】例示的な実施形態によるテスト環境のブロック図の説明図である。
【図２】例示的な実施形態による、干渉経路損失のテストを実施するためのテスト環境のブロック図の説明図である。
【図３】例示的な実施形態による、測定されたテストデータの例の説明図である。
【図４】例示的な実施形態による、測定されたテストデータの累積分布の例の説明図である。
【図５】例示的な実施形態による、測定されたテストデータの分散値の例の説明図である。
【図６】例示的な実施形態による、テスト信号データの中で周囲信号を識別するための処理の流れ図の説明図である。
【図７】例示的な実施形態によるデータ処理システムの説明図である。
【発明を実施するための形態】
【００１４】
さまざまな例示的な実施形態は、いくつかのさまざまな問題点を認識し、考慮に入れる。項目に関して本明細書で使用される「いくつか」は、１つまたは複数の項目を意味する。例えば、「いくつかのさまざまな問題点」は、１つまたは複数のさまざまな問題点を意味する。
【００１５】
さまざまな例示的な実施形態は、テスト信号の送信および受信を要する干渉経路損失の測定および他のテストへの周囲放射の影響を削減することに対する現状の解決策が、周囲放射が低下した場所または条件での測定または他のテストの遂行を要することを認識し、考慮に入れる。航空機で干渉経路損失の測定を遂行するために、この解決策は、被テスト航空機を必要なテスト機器および要員とともに、周囲の無線周波放射が低下していると知られている場所に移動させることが必要になる場合がある。通常、かかる場所は比較的離れている。専ら離れた場所に航空機を置いておくこと、航空機を離れた場所に移動し戻すための燃料、飛行テスト要員、地上要員、技術要員、地域施設サポート、食料、交通手段、およびホテルに関連するコストは、離れた場所で干渉経路損失の測定を遂行することに関連する多額の出費をもたらす。
【００１６】
例示的な実施形態は、意図的なテスト信号と周囲放射から生じた信号との間を区別する方式で、テスト信号データセットを解析するための方法および装置を提供する。したがって、例示的な実施形態により、正確な干渉経路損失の測定および他のテストが、航空機または他の被テストシステムの離れた場所への移動を必要とせずに遂行されることが可能になる。
【００１７】
最初に図１を参照すると、テスト環境のブロック図の説明図が例示的な実施形態により描写されている。この例では、テスト環境１００は、送信器１０２、被テストシステム１０４、および受信器１０６を含む。
【００１８】
テストは、送信器１０２からテスト信号を送信することにより、テスト環境１００の中で実施される。送信されたテスト信号は受信器１０６によって受信される。受信器１０６によって受信されたテスト信号は、送信器１０２と受信器１０６の間で送信された信号への被テストシステム１０４の影響を判定するために解析することができる。
【００１９】
例えば、制限なしに、被テストシステム１０４は航空機１０８または航空機１０８の一部であり得る。航空機１０８には、あらゆるタイプの固定翼、回転翼、または軽飛行機の航空機が含まれ得る。他の例示的な実施形態では、被テストシステム１０４は別のタイプの乗り物であり得る。例えば、制限なしに、被テストシステム１０４には、空中、宇宙空間、陸上、または、水上もしくは水中を移動することができる、あらゆる乗り物が含まれ得る。他の例として、被テストシステム１０４には、他の可動もしくは非可動のプラットフォームもしくは構造、またはその一部が含まれ得る。
【００２０】
送信器１０２によって送信されるテスト信号は、テスト信号発生器１１０によって発生させることができる。テスト信号発生器１１０によって発生したテスト信号の特性は、テスト環境１００の中で遂行される特定のテストに依存する可能性がある。
【００２１】
受信器１０６によって受信されたテスト信号は、テスト信号データセット１１２の形式でテスト信号解析器１１４に提供することができる。
【００２２】
例えば、制限なしに、テスト信号データセット１１２はデータ要素１２０を含むことができる。データ要素１２０は、周波数値１２２および対応する振幅値１２４を含むことができる。データ要素１２０は、テスト信号データセット１１２の中で任意の適切な形式で表現することができる。
【００２３】
例えば、制限なしに、テスト信号解析器１１４は、テスト信号データセット１１２を所望の方式で解析するようにプログラムされた、コンピュータまたは他のデータ処理システムとして実装することができる。テスト信号解析器１１４によって実施されるテスト信号データセット１１２の特定の解析は、任意の特定の用途についてテスト環境１００で実施される特定のテストに依存する可能性がある。
【００２４】
周囲放射１１６は、送信器１０２以外のソースから発生するさまざまな無線周波放射または他の放射を含む可能性がある。例えば、制限なしに、周囲放射１１６には、受信器１０６によって拾われる信号を生じる可能性がある、さまざまな地上無線周波放射、自然現象から生じる無線周波送信、または他の放射が含まれ得る。したがって、周囲放射１１６は、送信器１０２によって送信されたテスト信号とともに受信器１０６によって受信される可能性がある。結果として、周囲放射１１６は、周囲信号データがテスト信号データセット１１２の中に含まれる可能性がある。テスト信号データセット１１２の中の周囲信号データの存在は、テスト信号解析器１１４によるテスト信号データセット１１２の解析に望ましくない形で影響する可能性がある。
【００２５】
例示的な実施形態によれば、テスト信号解析器１１４は、好ましくは周囲信号識別器１１８も含む。周囲信号識別器１１８は、テスト信号データセット１１２を処理して、テスト信号データセット１１２の中で周囲信号データを識別することができる。次いで、テスト信号データセット１１２をテスト信号解析器１１４によって解析する前に、識別された周囲信号データをテスト信号データセット１１２から削除することができる。このように、周囲放射１１６の存在下で遂行されたテストについて、テスト信号解析器１１４により、テスト信号データセット１１２の正確な解析を得ることができる。
【００２６】
図１の説明図は、さまざまな例示的な実施形態を実装することができる方式に対して、物理的または構造上の限界を暗示するものではない。図示した構成部品への追加、代替、または、追加と代替の両方として、他の構成部品を使用することができる。いくつかの構成部品は、いくつかの例示的な実施形態では不要な場合がある。また、いくつかの機能的な構成部品を図示するためにブロックが提示される。これらのブロックの１つまたは複数は、さまざまな例示的な実施形態の中に実装されると、結合されるか、または、さまざまなブロックに分割される可能性がある。
【００２７】
ここで図２を参照すると、干渉経路損失テストを実施するためのテスト環境のブロック図の説明図が例示的な実施形態によって描写されている。この例では、テスト環境２００は図１におけるテスト環境１００の例である。
【００２８】
この例では、テスト環境２００は、航空機２０２で干渉経路損失テストを実施するためのテスト環境である。航空機２０２の機体２０４の一部が示されている。キャビン２０６は、機体２０４の内側の航空機２０２の内部区域または内部部分である。外装２０８は航空機２０２の外側の区域である。例えば、制限なしに、機体２０４は、機体２０４を経由する、キャビン２０６と外装２０８の間の無線周波信号を減衰させるための素材２１０を含むことができる。
【００２９】
この例では、送信器２１２およびテスト信号発生器２１４は、航空機２０２のキャビン２０６の中に配置することができる。テスト信号発生器２１４は、送信器２１２によって送信されるテスト信号を発生させる。この例では、テスト信号発生器２１４は、干渉経路損失の測定を実施するためのテスト信号を発生させる。
【００３０】
航空機アンテナ２１６は、航空機２０２の外装２０８の上の機体２０４に取り付けることができる。あるいは、航空機アンテナ２１６は、航空機２０２のキャビン２０６に取り付けることができる。航空機アンテナ２１６は、航空機２０２のキャビン２０６の中に配置された受信器２１８に接続することができる。受信器２１８は、送信器２１２によって送信されたテスト信号の一部を受信することができる。この例では、送信器２１２によって送信された無線周波信号は、不連続な周波数の所与の帯域を介してセミランダムな無線振幅データの測定をもたらす、いくつかの電磁気パラメータに依存する。
【００３１】
受信器２１８で受信されたテスト信号は、テスト信号データセット２２０としてテスト信号解析器２２２に提供され得る。測定データは振幅で変化する可能性があるが、テスト信号データセット２２０は、中心極限定理に準拠する周波数の範囲にわたって取得されたデータを含む可能性がある。中心極限定理は、それぞれが有限の平均値および分散値をもつ、多数の、周波数に依存しない、偶発的な測定がほぼ正規分布することを明確に示す。正規分布は、測定信号が振幅の最小から最大まで整列した累積分布として整列され得る。
【００３２】
航空機２０２に関係する電磁気パラメータは、測定データの中で独特の変形形態をもたらす場合があり、テスト信号データセット２２０の平均値振幅からの３標準偏差内にあるか、または３標準偏差より大きい振幅をもたらす。これは、いくつかの不連続な測定値が、通常、平均値のまわりの３標準偏差の外側にある低い振幅データの場合にしばしば起こる。送信器２１２と受信器２１８の間の最適の無線周波結合をもたらす電磁共鳴に起因して、高い振幅信号も３標準偏差限度の外側に存在する場合がある。干渉経路損失の測定について報告することができる最も保守的な結果を表すのはより高い振幅信号である。例えば、より高い周波数信号は、経路損失の最小量または無線周波信号を減衰させるための素材２１０の有効性の最小量を示すことができる。
【００３３】
周囲放射２２４は、航空機２０２の外装２０８から発生する場合がある。周囲放射２２４は、航空機アンテナ２１６および受信器２１８を経由して受信され、テスト信号データセット２２０の中に含まれた無線周波信号をもたらす可能性がある。
【００３４】
周囲放射２２４が同じ周波数で、同じ時点で、かつ、送信器２１２によって送信された意図的なテスト信号より大きい振幅で起こると、周囲放射２２４はテスト信号データセット２２０内の重要な因子になり得る。受信器２１８によって受信されたテスト信号が送信器２１２によって送信された信号より何倍も大きい場合、非常に大きな振幅の周囲信号は周囲信号であると容易に識別することができる。しかしながら、最適に結合された無線周波テスト信号と同様の振幅を有する無線周波周囲放射との間を区別することはより困難である。周囲放射２２４は、テスト信号データセット２２０にテスト信号解析器２２２によって実施された干渉経路損失の測定において測定することができる。こうして、周囲放射２２４は、機体２０４の十分なマージンの欠如または不十分なシールドを示唆することができる。
【００３５】
例示的な実施形態によれば、テスト信号解析器２２２は周囲信号識別器２２６を含む。周囲信号識別器２２６は、送信器２１２によって送信された意図的なテスト信号と周囲放射２２４の間を区別することができる。
【００３６】
例示的な実施形態による周囲信号識別の例は、図３〜５を参照して記載される。図３〜５は、周囲信号識別を実行するためのデータセットの処理のさまざまな段階中の、テスト信号データセットの例を図示する。
【００３７】
ここで図３を参照すると、測定されたテストデータの例の説明図が例示的な実施形態によって描写されている。テストデータ３００は、周波数の範囲にわたって信号振幅を示すデータを含む。この例では、テストデータ３００は、意図的に送信されたテスト信号から生じた信号データ、ならびに１つまたは複数の周囲放射から生じたデータを含む。
【００３８】
ここで図４を参照すると、測定されたテストデータの累積分布の例の説明図が例示的な実施形態によって描写されている。図４は、線４００で図３におけるテストデータ３００の配列を累積振幅分布として示す。破線４０２は全データセットの平均振幅を識別する。例示的な実施形態によれば、全データセットの標準偏差も識別される。
【００３９】
線４００によって示された累積分布から、破線４０２によって示された全データセットの平均値より大きいすべての振幅を含むデータのサブセットが作成される。この例では、データのサブセットは線４０６の右側にある全振幅用のデータを含む。
【００４０】
ここで図５を参照すると、測定されたテストデータの分散値の例の説明図が例示的な実施形態によって描写されている。例示的な実施形態によれば、データのサブセットの標準偏差が識別される。この例では、図４において識別されたデータのサブセットの標準偏差は、図５において破線５００によって識別される。
【００４１】
次いで、データのサブセット内の隣り合う累積分布した測定値用の振幅分散値が識別される。この例では、図５の底辺に沿って、データのサブセット内の隣り合う累積分布した測定値用の振幅分散値の結果が線５０２によって図示される。次いで、データセットの中の周囲信号は、不連続な周波数測定値間の識別された振幅分散値が破線５００によって識別されたサブセットの標準偏差を超える場合の周波数として識別することができる。
【００４２】
こうして、この例では、破線５００の上に延在する線部５０４に対応するデータを、周囲信号に対応するデータとして識別することができる。例示的な実施形態によれば、このデータは、干渉経路損失値の測定または他のテストを実施するためにデータセットが解析される前に、データセットから削除することができる。
【００４３】
ここで図６を参照すると、テスト信号データの中で周囲信号を識別するための処理の流れ図の説明図が例示的な実施形態によって描写されている。図６における処理は、例えば、図１における周囲信号識別器１１８または図２における周囲信号識別器２２６の中に実装することができる。
【００４４】
処理は、テスト信号データセットを累積振幅分布として整列させる（動作６０２）ことによって始まる。全テスト信号データセット用のデータ要素の振幅値の平均値が識別される（動作６０４）。テスト信号データセット用のデータ要素の振幅値の平均値は、第１の閾値の例である。全データセット用の標準偏差を識別することができる（動作６０６）。
【００４５】
次いで、全データセット用の平均振幅より大きい振幅をもつデータ要素を含むデータ要素のサブセットが作成される（動作６０８）。データ要素のサブセットの中のデータ要素の振幅値の標準偏差が識別される（動作６１０）。データ要素のサブセットの中のデータ要素の振幅値の標準偏差は、第２の閾値の例である。データのサブセット内の隣り合う累積分布した測定値用の振幅分散値が識別される（動作６１２）。
【００４６】
次いで、データのサブセットの振幅分散値、データのサブセットの標準偏差、および全データセットの標準偏差を使用してデータ内の周囲信号が識別される（動作６１４）。例えば、動作６１４は、不連続な周波数測定値間の振幅分散値がサブセットの標準偏差を超えるとき、または識別された不連続な測定値が全データセットの３標準偏差を超える場合のデータとして、データセットの中の周囲信号データを識別することを含むことができる。次いで、識別された周囲信号データは、データセットから削除することができ（動作６１６）、その後処理は終了する。
【００４７】
ここで図７を参照すると、データ処理システムの説明図が例示的な実施形態によって描写されている。この例では、データ処理システム７００は、図１におけるテスト信号解析器１１４および図２におけるテスト信号解析器２２２を実装するためのデータ処理システムの一実装形態の例である。この説明のための例では、データ処理システム７００は通信機構７０２を含む。通信機構７０２は、プロセッサ装置７０４、メモリ７０６、永続記憶装置７０８、通信装置７１０、入出力（Ｉ／Ｏ）装置７１２、およびディスプレイ７１４の間の通信を提供する。メモリ７０６、永続記憶装置７０８、通信装置７１０、入出力（Ｉ／Ｏ）装置７１２、およびディスプレイ７１４は、通信機構７０２を介してプロセッサ装置７０４がアクセスできるリソースの例である。
【００４８】
プロセッサ装置７０４は、メモリ７０６にロードできるソフトウェア用の命令を実行する働きをする。プロセッサ装置７０４は、特定の実装形態に応じて、いくつかのプロセッサ、マルチプロセッサコア、または他の何らかのタイプのプロセッサであり得る。さらに、プロセッサ装置７０４は、いくつかの異機種のプロセッサシステムを使用して実装することができ、そこでは単一チップ上でメインプロセッサが２次プロセッサとともに存在する。別の説明のための例として、プロセッサ装置７０４は、同じタイプの複数のプロセッサを含む対称型マルチプロセッサシステムであり得る。
【００４９】
メモリ７０６および永続記憶装置７０８は記憶装置７１６の例である。記憶装置は、例えば、制限なしに、データ、関数形式のプログラムコード、および他の適切な情報などの情報を、一時的または永続的に格納することができる任意のハードウェア部品である。また、これらの例では、記憶装置７１６はコンピュータ可読記憶装置と呼ぶことができる。これらの例では、メモリ７０６は、例えば、ランダムアクセスメモリまたはその他の適切な揮発性または不揮発性の記憶装置であり得る。永続記憶装置７０８は、特定の実装形態に応じてさまざまな形態を取ることができる。
【００５０】
例えば、永続的記憶装置７０８は、１つまたは複数の構成部品または装置を含むことができる。例えば、永続記憶装置７０８は、ハードドライブ、フラッシュメモリ、書き換え可能光ディスク、書き換え可能磁気テープ、または上記の何らかの組合せであり得る。また、永続記憶装置７０８によって使用される媒体は取外し可能である。例えば、取外し可能ハードドライブを永続記憶装置７０８用に使用することができる。
【００５１】
これらの例では、通信装置７１０は他のデータ処理システムまたは装置との通信を提供する。これらの例では、通信装置７１０はネットワークインタフェースカードである。通信装置７１０は、物理通信リンクと無線通信リンクの一方または両方の使用により通信を提供することができる。
【００５２】
入出力装置７１２は、データ処理システム７００に接続できる他の装置とのデータの入力および出力を可能にする。例えば、入出力装置７１２は、キーボード、マウス、および／または他の何らかの適切な入力装置を介して、ユーザ入力用の接続を提供することができる。さらに、入出力装置７１２はプリンタに出力を送ることができる。ディスプレイ７１４はユーザに情報を表示するメカニズムを提供する。
【００５３】
オペレーティングシステム用、アプリケーション用、および／またはプログラム用の命令は、記憶装置７１６に置くことができ、記憶装置７１６は通信機構７０２を介してプロセッサ装置７０４と通信する。これらの説明のための例では、命令は永続記憶装置７０８上の関数形式である。これらの命令は、プロセッサ装置７０４による実行のためにメモリ７０６にロードすることができる。さまざまな実施形態の処理は、メモリ７０６などのメモリに置くことができるコンピュータ実装命令を使用して、プロセッサ装置７０４によって実行することができる。
【００５４】
これらの命令は、プロセッサ装置７０４の中のプロセッサが読み取り、実行することができる、プログラム命令、プログラムコード、コンピュータ使用可能プログラムコード、またはコンピュータ可読プログラムコードと呼ぶことができる。さまざまな実施形態におけるプログラムコードは、メモリ７０６または永続記憶装置７０８などの、さまざまな物理記憶媒体またはコンピュータ可読記憶媒体で具現化することができる。
【００５５】
プログラムコード７１８は、選択的に取外し可能なコンピュータ可読媒体７２０上に関数形式で置かれ、プロセッサ装置７０４による実行のために、データ処理システム７００にロードまたは転送することができる。これらの例では、プログラムコード７１８およびコンピュータ可読媒体７２０は、コンピュータプログラム製品７２２を形成する。一例では、コンピュータ可読媒体７２０は、コンピュータ可読記憶媒体７２４またはコンピュータ可読信号媒体７２６であり得る。
【００５６】
コンピュータ可読記憶媒体７２４には、例えば、永続記憶装置７０８の一部であるハードドライブなどの記憶装置への転送用に、永続記憶装置７０８の一部であるドライブまたは他の装置に挿入または配置された光ディスクまたは磁気ディスクが含まれ得る。また、コンピュータ可読記憶媒体７２４は、データ処理システム７００に接続された、ハードドライブ、サムドライブ、またはフラッシュメモリなどの永続記憶装置の形態を取ることができる。いくつかの例では、コンピュータ可読記憶媒体７２４は、データ処理システム７００から取り外すことができない場合がある。
【００５７】
これらの例では、コンピュータ可読記憶媒体７２４は、プログラムコード７１８を伝搬または送信する媒体ではなく、プログラムコード７１８を格納するための物理的または有形の記憶装置である。コンピュータ可読記憶媒体７２４は、コンピュータ可読有形記憶装置またはコンピュータ可読物理記憶装置と呼ぶこともできる。言い換えれば、コンピュータ可読記憶媒体７２４は人が触れることができる媒体である。
【００５８】
あるいは、プログラムコード７１８はコンピュータ可読信号媒体７２６を使用して、データ処理システム７００に転送することができる。コンピュータ可読信号媒体７２６は、例えば、プログラムコード７１８を含む伝搬データ信号であり得る。例えば、コンピュータ可読信号媒体７２６は、電磁信号、光信号、および／またはその他の適切なタイプの信号であり得る。これらの信号は、無線通信リンク、光ファイバケーブル、同軸ケーブル、電線、および／またはその他の適切なタイプの通信リンクなどの、通信リンクを介して送信することができる。言い換えれば、通信リンクおよび／または接続は、説明のための例では物理的または無線であり得る。
【００５９】
いくつかの例示的な実施形態では、プログラムコード７１８は、データ処理システム７００内で使用するために、コンピュータ可読信号媒体７２６を介して別の装置または別のデータ処理システムから、ネットワークを介して永続記憶装置７０８にダウンロードすることができる。例えば、サーバデータ処理システムの中のコンピュータ可読記憶媒体に格納されたプログラムコードは、ネットワークを介してサーバからデータ処理システム７００にダウンロードすることができる。プログラムコード７１８を提供するデータ処理システムは、プログラムコード７１８を格納し送信することができる、サーバコンピュータ、クライアントコンピュータ、または他の何らかの装置であり得る。
【００６０】
データ処理システム７００について図示されたさまざまな構成部品は、さまざまな実施形態を実装できる方式に構造上の制限を与えるものではない。さまざまな例示的な実施形態は、データ処理システム７００について図示された構成部品の追加および／または代替の構成部品を含むデータ処理システムの中に実装することができる。図７に示された他の構成部品は、示された説明のための例から変更することができる。さまざまな実施形態は、プログラムコードを実行できる任意のハードウェア装置またはシステムを使用して実装することができる。一例として、データ処理システム７００は、無機的な構成部品と統合された有機的な構成部品を含むことができ、かつ／または人間を除く有機的な構成部品からすべて構成することができる。例えば、記憶装置は有機半導体から構成することができる。
【００６１】
別の説明のための例では、プロセッサ装置７０４は、特定の用途向けに製作または構成された回路を有するハードウェア装置の形態を取ることができる。このタイプのハードウェアは、プログラムコードが記憶装置からメモリにロードされ、動作を実行するように構成されることを必要とせずに、動作を実行することができる。
【００６２】
例えば、プロセッサ装置７０４がハードウェア装置の形態を取る場合、プロセッサ装置７０４は、いくつかの動作を実行するように構成された、回路システム、特定用途向け集積回路（ＡＳＩＣ）、プログラマブル論理回路装置、または、他の何らかの適切なタイプのハードウェアであり得る。プログラマブル論理回路装置の場合、装置はいくつかの動作を実行するように構成される。装置は、いくつかの動作を実行するように後で再構成され得るか、または恒久的に構成され得る。プログラマブル論理回路装置の例には、例えば、プログラマブル論理回路アレイ、プログラマブルアレイ論理回路、フィールドプログラマブル論理回路アレイ、フィールドプログラマブルゲートアレイ、および他の適切なハードウェア装置が含まれる。このタイプの実装形態の場合、さまざまな実施形態用の処理がハードウェア装置の中に実装されるので、プログラムコード７１８は省略することができる。
【００６３】
さらに別の説明のための例では、プロセッサ装置７０４は、コンピュータに備え付けのプロセッサとハードウェア装置の組合せを使用して実装することができる。プロセッサ装置７０４は、プログラムコード７１８を実行するように構成された、いくつかのハードウェア装置およびいくつかのプロセッサをもつことができる。この描写された例の場合、一部の処理をいくつかのハードウェア装置の中に実装することができ、他の処理をいくつかのプロセッサの中に実装することができる。
【００６４】
別の例では、通信機構７０２を実装するためにバスシステムを使用することができ、バスシステムはシステムバスまたは入出力バスなどの１つまたは複数のバスから構成することができる。当然、バスシステムは、バスシステムに取り付けられたさまざまな構成部品または装置の間でデータの転送を提供する、任意の適切なタイプのアーキテクチャを使用して実装することができる。
【００６５】
加えて、通信装置７１０は、データを送信し、データを受信し、またはデータを送信および受信する、いくつかの装置を含むことができる。通信装置７１０は、例えば、モデムもしくはネットワークアダプタ、２つのネットワークアダプタ、またはそれらの何らかの組合せであり得る。さらに、メモリは、例えば、通信機構７０２の中に存在する場合があるインタフェースおよびメモリコントローラハブの中に備え付けられたような、メモリ７０６またはキャッシュであり得る。
【００６６】
図および本文において、テスト信号データセット１１２、２２０の中で周囲信号データを識別するための方法を開示し、方法は、テスト信号データセット１１２、２２０の中のデータ要素の累積振幅分布を識別するステップであって、データ要素１２０が振幅値１２４によって順番にされ、データ要素１２０が周波数値１２２および対応する振幅値１２４を含む、ステップと、テスト信号データセットからデータ要素１２０のサブセットを識別するステップであって、データ要素１２０のサブセットが第１の閾値より大きい振幅値１２４をもつデータ要素１２０を含む、ステップと、データ要素のサブセットの中のデータ要素を識別するステップであって、データ要素１２０の累積振幅分布の中の隣り合うデータ要素の振幅値１２４間の差異が第２の閾値より大きい、ステップとを含む。
【００６７】
一変形形態では、方法は、第１の閾値がテスト信号データセット１１２の中のデータ要素１２０の振幅値１２４の平均値である方法を含む。別の変形形態では、方法は、第２の閾値がデータ要素１２０のサブセットの中のデータ要素１２０の振幅値１２４の標準偏差である方法を含む。一例では、方法はデータ要素１２０のサブセットの中のデータ要素１２０を識別することをさらに含み、データ要素１２０の累積振幅分布の中の隣り合うデータ要素の振幅値１２４間の差異は、テスト信号データセット１１２の中のデータ要素１２０の振幅値１２４の標準偏差の倍数より大きい。
【００６８】
さらに別の例では、方法は、データ要素１２０のサブセットの中のデータ要素１２０を識別することによって識別されたデータ要素１２０をテスト信号データセット１１２から削除することをさらに含む。一例では、方法は、データ要素１２０のサブセットの中のデータ要素１２０を識別することによって識別されたデータ要素１２０をテスト信号データセット１１２から削除した後、テスト信号データセット１１２、２２０を使用して航空機用の干渉経路損失の測定を実施することをさらに含む。
【００６９】
さらに別の例では、方法はテスト信号を送信することおよびテスト信号に応答する信号を受信することをさらに含み、テスト信号データセット１１２はテスト信号に応答して受信された信号から導出される。さらに別の例では、方法は、テスト信号に応答して受信された信号が周囲放射１１６を含む方法を含み、データ要素１２０のサブセットの中のデータ要素１２０を識別することによって識別されるデータ要素１２０が周囲放射１１６に対応する方法を含む。
【００７０】
一態様では、テスト信号データセット１１２、２２０の中で周囲信号データを識別するための方法が開示され、方法はテスト信号データセットの中のデータ要素１２０の累積振幅分布を識別することを含み、データ要素１２０は振幅値１２４によって順番にされ、データ要素は周波数値および対応する振幅値１２４を含む。方法はテスト信号データセット１１２、２２０からデータ要素１２０のサブセットを識別することを含み、データ要素１２０のサブセットは、テスト信号データセット１１２、２２０の中のデータ要素１２０の振幅値１２４の平均値より大きい振幅値１２４をもつデータ要素１２０を含む。方法はデータ要素１２０のサブセットの中のデータ要素１２０を識別することを含み、データ要素１２０の累積振幅分布の中の隣り合うデータ要素の振幅値１２４間の差異は、データ要素１２０のサブセットの中のデータ要素１２０の振幅値１２４の標準偏差より大きい。
【００７１】
一変形形態では、方法はデータ要素１２０のサブセットの中のデータ要素１２０を識別することをさらに含み、データ要素１２０の累積振幅分布の中の隣り合うデータ要素１２０の振幅値１２４間の差異は、テスト信号データセット１１２、２２０の中のデータ要素の振幅値１２４の標準偏差の倍数より大きい。別の変形形態では、方法は、データ要素１２０のサブセットの中のデータ要素１２０を識別することによって識別されたデータ要素１２０をテスト信号データセット１１２、２２０から削除することをさらに含む。さらに別の変形形態では、方法は、データ要素１２０のサブセットの中のデータ要素１２０を識別することによって識別されたデータ要素１２０をテスト信号データセット１１２、２２０から削除した後、テスト信号データセット１１２、２２０を使用して航空機用の干渉経路損失の測定を実施することをさらに含む。
【００７２】
一変形形態では、方法はテスト信号を送信することおよびテスト信号に応答する信号を受信することをさらに含み、テスト信号データセット１１２、１２０はテスト信号に応答して受信された信号から導出される。さらに別の変形形態では、方法は、テスト信号に応答して受信された信号が周囲放射１１６、２２４を含む方法を含み、データ要素１２０のサブセットの中のデータ要素１２０を識別することによって識別されたデータ要素１２０が周囲放射１１６、２２４に対応する方法を含む。
【００７３】
さらに別の態様では、テスト信号データセット１１２、２２０の中のデータ要素１２０の累積振幅分布を識別することであって、データ要素１２０が振幅値１２４によって順番にされ、データ要素１２０が周波数値および対応する振幅値１２４を含むこと、テスト信号データセット１１２からデータ要素１２０のサブセットを識別することであって、データ要素１２０のサブセットが第１の閾値より大きい振幅値１２４をもつデータ要素１２０を含むこと、およびデータ要素１２０のサブセットの中のデータ要素１２０を識別することであって、データ要素１２０の累積振幅分布の中の隣り合うデータ要素の振幅値１２４間の差異が第２の閾値より大きいことを行うように構成された周囲信号識別器１１８を含む装置が開示されている。
【００７４】
一変形形態では、装置は、第１の閾値がテスト信号データセット１１２、２２０の中のデータ要素の振幅値１２４の平均値である装置を含む。さらに別の変形形態では、装置は、第２の閾値がデータ要素１２０のサブセットの中のデータ要素１２０の振幅値１２４の標準偏差である装置を含む。さらに別の変形形態では、装置は、周囲信号識別器１１８、２２６がデータ要素１２０のサブセットの中で識別されたデータ要素１２０をテスト信号データセット１１２、２２０から削除するようにさらに構成された装置を含む。
【００７５】
一例では、装置は、データ要素１２０のサブセットの中で識別されたデータ要素１２０がテスト信号データセット１１２、２２０から削除された後、テスト信号データセット１１２、２２０を使用して航空機用の干渉経路損失の測定を実施するように構成されたテスト信号解析器１１４、２２２をさらに含む。さらに別の例では、装置は、テスト信号を送信するように構成された送信器１０２、２１２、およびテスト信号に応答する信号を受信するように構成された受信器１０６、２１８をさらに含み、テスト信号に応答して受信された信号は周囲放射を含み、テスト信号データセット１１２、２２０はテスト信号に応答して受信された信号から導出され、データ要素１２０のサブセットの中で識別されたデータ要素１２０は周囲放射１１６、２２４に対応する。
【００７６】
さまざまな例示的な実施形態の説明は、例示および説明の目的のために提示され、網羅的であるものではなく、または実施形態を開示された形態に限定するものではない。多くの修正形態および変形形態が当業者には明白であろう。さらに、さまざまな例示的な実施形態は、他の例示的な実施形態に比べてさまざまな利点を提供することができる。選択された１つまたは複数の実施形態は、実施形態の原理、実際的な応用を最もよく説明し、考察された特定の使用に適したさまざまな修正形態をもつさまざまな実施形態用の開示を、他の当業者が理解することを可能にするために選ばれ記載されている。
【符号の説明】
【００７７】
１００  テスト環境
１０２  送信器
１０４  被テストシステム
１０６  受信器
１０８  航空機
１１０  テスト信号発生器
１１２  テスト信号データセット
１１４  テスト信号解析器
１１６  周囲放射
１１８  周囲信号識別器
１２０  データ要素
１２２  周波数値
１２４  振幅値
２００  テスト環境
２０２  航空機
２０４  機体
２０６  キャビン
２０８  外装
２１０  素材
２１２  送信器
２１４  テスト信号発生器
２１６  航空機アンテナ
２１８  受信器
２２０  テスト信号データセット
２２２  テスト信号解析器
２２４  周囲放射
２２６  周囲信号識別器
７００  データ処理システム
７０２  通信機構
７０４  プロセッサ装置
７０６  メモリ
７０８  永続記憶装置
７１０  通信装置
７１２  入出力（Ｉ／Ｏ）装置
７１４  ディスプレイ
７１６  記憶装置
７１８  プログラムコード
７２０  コンピュータ可読媒体
７２２  コンピュータプログラム製品
７２４  コンピュータ可読記憶媒体
７２６  コンピュータ可読信号媒体
【図１】
0006292746.tif 000002
【図２】
0006292746.tif 000003
【図３】
0006292746.tif 000004
【図４】
0006292746.tif 000005
【図５】
0006292746.tif 000006
【図６】
0006292746.tif 000007
【図７】
0006292746.tif 000008